(57)【要約】【課題】  床材同士の擦れによる床鳴りを長期間に亘って防止することができる床材を提供する。【解決手段】  床材Ａの四方端面に設けている雌雄実部２、３における互いに接合する面に、液状の床鳴り防止剤を内包した無数のマイクロカプセル６を付着させておき、歩行時等の荷重によって、隣接する床材Ａ、Ａにおける接合端面が擦れた時や雌雄実部２、３の対向する上下面間が圧縮した時にマイクロカプセル６の一部をその摺擦力や圧縮力によって破壊させ、床鳴り防止剤を流出させて床鳴りを防止するように構成している。【選択図】    図２
2005171677.tif 000002
【特許請求の範囲】
【請求項１】
互いに平行な端面に雌雄実部を形成し且つ下面に緩衝材を貼着している床材において、上記雌雄実部における少なくとも一方の実部に、液状の床鳴り防止剤を内包したマイクロカプセルを付着させていることを特徴とする床材。
【請求項２】
床鳴り防止剤を内包したマイクロカプセルを、雌実部の上下及び垂直な奥底面との三方の内面と該雌実部の開口端から上方側の床材端面とに付着させていることを特徴とする請求項１に記載の床材。
【請求項３】
床鳴り防止剤を内包したマイクロカプセルを、雄実部の上面とこの上面から上方側の床材端面とに付着させていることを特徴とする床材。
【発明の詳細な説明】
【技術分野】
【０００１】
本発明は床鳴りを長期間に亘って防止することができる床材に関するものである。
【背景技術】
【０００２】
従来から、マンション等の集合住宅や２階建て住宅においては、階上で発生した衝撃音等が階下に伝達するのを防止するために、床材の裏面や中間部に緩衝材を設けている防音床材が採用されているが、緩衝材を設けていても、床材に荷重が掛かった際の変形や、乾燥、湿潤による寸法変化に伴い、歩行時には床材の接合端面同士の摩擦によって床鳴りと称される軋み音が発生することがある。
【０００３】
この軋み音による床鳴りを防止する方法として、例えば、特許文献１に記載されているように、床材の接合部分に界面活性剤や液状オイル、或いは液状ポリエチレン、グリコール等の床鳴り防止剤を塗布することによって床鳴りを防止することが試みられている。
【０００４】
【特許文献１】特開２００２−１６７５７４号公報
【発明の開示】
【発明が解決しようとする課題】
【０００５】
このような床鳴り防止剤は、床材に対する塗布処理が容易で且つ床材同士の接合部分に滲みやすく、効果的に隙間を埋めて水分の揮発後、接合面に蝋状の床鳴り防止層を形成し、この床鳴り防止層によって床材間の摩擦を軽減して床鳴りを防止することができるが、床材の接合端面同士の頻繁に生じる擦れによって床鳴り防止層が摩損或いは剥離し、床鳴り防止効果を長期間に亘って持続することが困難であるといった問題点がある。さらに、少しでも床鳴り防止効果を長引かせるために、床材施工時に現場において床材同士の接合部分に床鳴り防止剤を塗布する必要があった。
【０００６】
また、床材の実部を釘打ちによって床下地材に固着することにより床材を床下地材上に施工した場合、歩行等による荷重によって床材が撓んで、床材の実部と釘との間の擦れが発生し、その擦れによっても床鳴りが発生するが、上記床材施工現場における床材同士の接合部分への床鳴り防止剤の塗布では、打ち込んだ釘と床材実部との間に床鳴り防止剤を浸透させること困難であり、釘打ち部分の床鳴りまで防止することができない等の問題点があった。
【０００７】
本発明はこのような問題点に鑑みてなされたもので、その目的とするところは、床材同士の接合部分の摩擦による床鳴りの発生を長期間に亘って防止することができると共に、釘着によって床材を施工した場合における釘打ち部分での床鳴りも効果的に防止することができる床材を提供するにある。
【課題を解決するための手段】
【０００８】
上記目的を達成するために、本発明の床材は、請求項１に記載したように、互いに平行な端面に雌雄実部を形成し且つ下面に緩衝材を貼着している床材において、上記雌雄実部における少なくとも一方の実部に、液状の床鳴り防止剤を内包したマイクロカプセルを付着させた構造としている。
【０００９】
このように構成した床材において、請求項２に係る発明は、上記床鳴り防止剤を内包したマイクロカプセルを、雌実部の上下及び垂直な奥底面との三方の内面と該雌実部の開口端から上方側の床材端面とに付着させていることを特徴とし、請求項３に係る発明は、床鳴り防止剤を内包したマイクロカプセルを、雄実部の上面とこの上面から上方側の床材端面とに付着させていることを特徴とする。
【発明の効果】
【００１０】
床材の実部に付着している液状の床鳴り防止剤を内包したマイクロカプセルが破壊ないしは破裂しないかぎり床鳴り防止効果を奏することがないので、床材を施工する前に該床材の実部に上記マイクロカプセルを塗布等によって付着させて床材を保管しておくことができ、床材施工時には現場にてマイクロカプセルの塗布作業を行う必要はなく、床施工作業を円滑に能率よく行うことができる。
【００１１】
さらに、床材を施工した後に互いに接合した床材の一方に荷重が掛かると、該床材がその下面に貼着している緩衝材の弾性変形によって上下動して床材同士の実部間が擦れ合い、少なくとも一方の実部に付着しているマイクロカプセルの一部がその擦れ合いによる圧力によって破壊し、該マイクカプセル内から床鳴り防止剤が接合面に流出、浸透して床鳴り防止効果を発揮すると共に、実部に付着している多量のマイクロカプセルが少しずつ破壊するので、長期間に亘り床鳴りを防止することができるものである。
【００１２】
また、床材の施工時において、床材を接着剤による直張りではなく、該床材の実部に釘を打ち込むことによって床下地材に床材を固定する施工の場合、釘の打ち込みにより実部に付着しているマイクロカプセルの一部が破壊して該マイクロカプセルから流出した床鳴り防止剤を釘の打ち込みに従って該釘の表面とこの釘の打ち込みによって実部に形成される釘孔との間に浸透させることができ、従って、施工後、歩行等による荷重によって床材が撓んで、床材の実部と釘との間の擦れが発生しても、その擦れによる床鳴りの発生を釘孔に浸透している上記床鳴り防止剤によって確実に防止することができる。
【発明を実施するための最良の形態】
【００１３】
次に、本発明の実施の形態を図面について説明すると、図１、図２において、１は一定幅と一定長さ及び一定厚みを有する長方形状の床材主体で、合板、ＭＤＦ、ハードボード、パーティクルボード、単板積層材等の単体又はこれらの複合板からなる木質系基材によって形成されてあり、その四方端面において、互いに直角に隣接する一方の二辺の端面に雌実部２を、他方の二辺の端面に該雌実部２に係合可能な雄実部３を形成していると共に裏面（下面）全面に一定厚みを有する不織布や発泡樹脂板或いはゴム板等の弾性シートからなる緩衝材４を貼着し、さらに、表面（上面）全面に化粧シートや化粧単板の貼着、或いは塗装による化粧層５を設けることによって床材Ａを構成している。
【００１４】
このように構成している床材Ａにおいて、上記雌実部２は床材主体１の互いに直角に隣接する一方の二辺の端面中央部を全長、全幅に亘って断面コ字状の溝に刻設することにより形成されてあり、雄実部３は床材主体１における他方の二辺の端面中央部に上記雌実部２の断面形状と略同形の突部を全長、全幅に亘って水平に突設することによって形成されているものであるが、上記雌実部２においては、その上下に対向した上下面2a、2bとこれらの上下面2a、2bの内端間の垂直な奥底面2cとの三方の内面に、床鳴り防止剤を内包した無数のマイクロカプセル６を全面に亘って層状に付着させてあり、上記雄実部３においては、その上面3a全面に、床鳴り防止剤を内包した無数のマイクロカプセル６を層状に付着させている。
【００１５】
さらに、床材主体１における上記雌実部２を形成している端面側においては、該雌実部２の開口端から上方側の端面1aに、床鳴り防止剤を内包した無数のマイクロカプセル６を全面に亘り層状に付着させている。同様に、床材主体１における上記雄実部３を形成している端面側においては、該雄実部３の上面3aから上方側の端面1bに、床鳴り防止剤を内包した無数のマイクロカプセル６を全面に亘り層状に付着させている。
【００１６】
なお、床鳴り防止剤を内包したマイクロカプセル６は、上記のように床材主体１における雌雄実部２、３の両方に付着させておいてもよいが、少なくともいずれか一方に付着させておいても充分に有効的な床鳴り防止効果を奏することができる。また、通常、床材Ａは床材主体１の四方端面において、雌雄実部２、３から下方側の端面部1c、1dを図３に示すように雌雄実部２、３から上方側の上記端面部1a、1bよりも一定幅だけ内方に位置するように形成していて、床材Ａ、Ａ同士の雌雄実部２、３を互いに嵌合することにより接合させた場合、これらの対向する下側端面部1c、1d間には隙間７が形成されるので、下側端面部1c、1d同士が擦れ合うことがないから、この下側端面部1c、1dには床鳴り防止剤を内包したマイクロカプセル６を付着させておく必要はない。
【００１７】
マイクロカプセル６は荷重によって破壊可能な硬質合成樹脂より形成されていると共に、このマイクロカプセル６に内包される床鳴り防止剤としては、海面活性剤、液状オイル、液状ワックス、或いは液状ポリエチレングリコール等の常温では液状の液剤が採用され、この床鳴り防止剤を定法により極小径樹脂製殻内に包み込むことによりマイクロカプセル化してなるものである。
【００１８】
この床鳴り防止剤を内包している無数のマイクロカプセル６を、水やエチレングリコール、アルコール等の適宜な溶媒に酢酸ビニル等のバインダと共に添加、攪拌して塗布剤を作製し、この塗布剤を床材主体１の雌雄実部２、３や床材主体１の四方の端面に塗布して乾燥させることにより、バインダーを介して無数のマイクロカプセル６を層状に付着させるものである。
【００１９】
このように構成した床材Ａを床下地面に塗布している接着剤上に互いに隣接する床材Ａ、Ａ同士を、順次、図３に示すように雌雄実部２、３の嵌合によって接合しながら敷設して直張りの床を施工する。こうして施工された床材Ａは、隣接する床材Ａ、Ａにおける一方床材Ａの雌実部２の内面の少なくとも下向き上面2aと奥底面2cとに他方の床材Ａの雄実部３の上面3aと先端面3bとが層状に塗布したマイクロカプセル６を介して接合している。
【００２０】
そして、床材Ａに歩行等による荷重が掛かると、図４に示すように該床材Ａがその下面に貼着している緩衝材４を弾性的に圧縮変形させながら僅かに沈むと共に荷重を解いた時には緩衝材４の弾性復元力によって元の高さまで上昇、復帰する。この時、この床材Ａと隣接する床材Ａとにおける床材主体１、１の接合端面1a、1b間と、雌実部２の垂直な奥底面2cと雄実部３の垂直な突出先端面3b間とに上下方向の擦れが発生し、その摺擦力によって床材主体１、１の接合端面1a、1bと雌実部２の奥底面2cとに付着しているマイクロカプセル６の一部が破壊する。さらに、上記荷重によって雌実部２の上向き下面2bと雄実部３の下面3cとの間に、図５に示すように圧縮力が作用してこの圧縮力により雌実部２の上向き下面2bに付着しているマイクロカプセル６の一部が破壊する。
【００２１】
マイクロカプセル６が破壊すると、その内部から床鳴り防止剤が流出し、雌雄実部２、３の端面や床材主体１、１の接合端面に浸透すると共に該床鳴り防止剤中の水分が揮発して蝋状の滑り層となり、上記擦れによる軋み等の床鳴りの発生を防止するものである。また、この床鳴り防止剤による滑り層が磨滅や剥離等によって床鳴り防止効果が低減してもさらに一部のマイクロカプセル６が破壊して上記同様に床鳴り防止作用を奏するので、長期間に亘り、床鳴りを防止することができるものである。なお、マイクロカプセル６を床材主体１の上側端面1a、1bと雌雄実部２、３の接合面とに全面に亘って層状に付着させているが、長さ方向に断続的に所定量、付着させておいてもよい。
【００２２】
次に、上記床材Ａを床下地上に接着剤を介して直張りすることにより施工しているが、釘打ちによって床下地材Ｂに固着してもよい。この場合、図６に示すように、床材主体１の雄実部３における上面3aと、この上面3aの内端から上方に向かって直角に形成している床材主体１の上側端面1bとに亘って上記マイクロカプセル６を付着させておき、床施工時に、図７に示すようにこのマイクロカプセル６を破壊させながら釘Ｃを雄実部３の内端隅部から床材主体１を斜めに貫通するように打ち込むことによって床材Ａを床下地材Ｂに固着する。
【００２３】
この際、釘Ｃの打ち込みによって、マイクロカプセル６が破壊し、マイクロカプセル６から流出した床鳴り防止剤が釘Ｃの打ち込みに従って該釘Ｃの表面に付着しながら釘Ｃと共に床材主体１内に浸入し、釘Ｃの打ち込みが完了すると、釘Ｃによって貫通した釘孔の孔壁面８に床鳴り防止剤6'が床材主体１の表裏面間に亘って全面的に浸透、塗布した状態となる。
【００２４】
従って、釘着による床施工後、歩行等の荷重によって床材Ａが撓んだり、下面に貼着している緩衝材４の弾性変形によって上下変動して釘Ｃと床材主体１の釘孔の孔壁面８との間に上下方向の擦れが発生しても、孔壁面８に浸透している床鳴り防止剤6'によってその擦れによる床鳴りの発生を防止することができるものである。
【００２５】
なお、このように釘打ち部分における床鳴りを防止するには、釘Ｃを打ち込む床材主体１の雄実部３の内端部と床材主体１の上側端面1bとの隅角部にのみ、マイクロカプセル６を床材主体１の長さ方向に所定間隔毎に付着させておけばよいが、上述したように隣接する床材Ａ、Ａの対向端面同士や互いに係合した雌雄実部２、３の接合端面同士の擦れによる床鳴りも防止できるように、床材主体１の雌雄実部２、３から上側の端面1a、1bと雌雄実部２、３における接合端面とに上記同様にマイクロカプセル６を付着させておいてもよい。また、釘Ｃを雄実部３側に打ち込んだが、図８に示すように、雌実部２の下面2bにおける釘打ち箇所にマイクロカプセル６を付着させておき、このマイクロカプセル６を設けた部分に釘打ちを行ってもよい。
【図面の簡単な説明】
【００２６】
【図１】床材の簡略斜視図。
【図２】その雌雄実部部分の断面図。
【図３】雌雄実部を嵌合させた状態の断面図。
【図４】接合端面同士が擦れ合う状態を示す断面図。
【図５】接合端面間の圧縮力が作用した状態を示す断面図。
【図６】釘打ちによる施工をする場合の床材の一部断面図。
【図７】釘打ちした状態の断面図。
【図８】雌実部側にマイクロカプセルを付着させた状態の簡略斜視図。
【符号の説明】
【００２７】
Ａ  床材
Ｂ  床下地材
Ｃ  釘
１  床材主体
２  雌実部
３  雄実部
４  緩衝材
６  マイクロカプセル
【図１】
2005171677.tif 000003
【図２】
2005171677.tif 000004
【図３】
2005171677.tif 000005
【図４】
2005171677.tif 000006
【図５】
2005171677.tif 000007
【図６】
2005171677.tif 000008
【図７】
2005171677.tif 000009
【図８】
2005171677.tif 000010